(57)【要約】マルチユーザ１ポイント対多ポイント型デジタルデータ送信システムによるデータ送信の方法である。  本発明は、物理手段（６）を経由して双方向に接続された複数のユーザ装置（１）を含むマルチユーザ多ポイント対多ポイント型デジタルデータ送信システムのためのデータ送信方法に関する。本発明の方法は、複数の送信先ユーザ装置（１ｂ−１ｄ）各々により要求される帯域幅と最大待ち時間の値を維持する間、異なる速度で、１つのユーザ装置（１ａ）から、それとは異なる複数の送信先ユーザ装置（１ｂ−１ｄ）への種々の通信を確立するために使用可能である。上記方法は、１つの装置（１ａ）から多数の送信先ユーザ装置（１ｂ−１ｄ）へ、異なる速度で、多数の情報フレーム（４）を送信することにある。
2005522899.tif 000002
【特許請求の範囲】
【請求項１】
マルチユーザ１ポイント対多ポイント型デジタルデータ送信システムによるデータ送信の方法であって、種々のユーザモデム（１）は物理媒体（６）での双方向通信であり、下り方向のチャネルはユーザモデム（１ａ）と多くの宛先ユーザモデム（１ｂ−１ｄ）との間の通信に使用されるチャネルであり、上り方向のチャネルはこの特定のユーザモデム（１ｂ−１ｄから１ａ）への通信に使用されるチャネルであり、
下り方向のチャネル内の種々の宛先ユーザモデムに関する固定された帯域幅および固定された最大待ち時間を保証するために、上記方法は、
同じ物理媒体（６）での種々の速度で種々のユーザモデムへの情報の送信を実行し；
異なる宛先ユーザモデム（１ｂ−１ｃ）の異なる送信速度に適応可能な下り方向のチャネル内で時分割を実行し；
送信機（１ａ）からの通信の上部層で使用されるパケットの大きさとは異なる可能性がある、通信手段（６）へのパケットの大きさを最適化し；
宛先ユーザモデムまたは宛先ユーザモデムのグループにより要求される品質に基づいたチャネル時間の予約を用いて、異なる優先順位でのパケット送信を実行し；
および、通信トラフィックに関するサービス品質（ＱｏＳ）を帯域幅および待ち時間に関する異なる要求に適応させる、
ことを特徴とする
マルチユーザ１ポイント対多ポイント型デジタルデータ送信システムによるデータ送信の方法。
【請求項２】
請求項１に記載のマルチユーザ１ポイント対多ポイント型デジタルデータ送信システムによるデータ送信の方法であって、異なる宛先ユーザモデムの異なる送信速度に適応可能な下り方向のチャネル内の時分割は、同じチャネル時間で異なる長さのパケットを送信することにより着手されるので、情報は、ビット数の点で固定された最大長をもつパケットを用いて、宛先ユーザモデムの各々１つに関するシンボルあたりの使用可能なビット数に依存する、異なる速度で送信されることを特徴とするマルチユーザ１ポイント対多ポイント型デジタルデータ送信システムによるデータ送信の方法。
【請求項３】
請求項２に記載のマルチユーザ１ポイント対多ポイント型デジタルデータ送信システムによるデータ送信の方法であって、同じチャネル時間を占有するために、上記送信機（１ａ）のパケット送信単位（最大転送単位またはＭＴＵ）で送信されるシンボルの数が固定され、上記シンボルの数は、最小待ち時間および帯域幅要求のないトラフィック、固定ビットレート（ＣＢＲ）をもつトラフィック、可変ビットレート（ＶＢＲ）をもつトラフィックおよび予約された帯域幅と固定された最大待ち時間をもつトラフィック、から選択される選択的に異なるタイプのトラフィックを可能にするために、単位秒あたりのビットの送信効率および待ち時間に関するサービス品質の間の妥協に達するために調整される、マルチユーザ１ポイント対多ポイント型デジタルデータ送信システムによるデータ送信の方法。
【請求項４】
請求項３に記載のマルチユーザ１ポイント対多ポイント型デジタルデータ送信システムによるデータ送信の方法であって、パケットが最大転送単位（ＭＴＵ）内のシンボルの数の点で固定された大きさを占有するために、種々の宛先ユーザモデムへ送信されねばならない上記パケットが、上記送信機内でグループ分けされるおよび／または分割されることを特徴とするマルチユーザ１ポイント対多ポイント型デジタルデータ送信システムによるデータ送信の方法。
【請求項５】
請求項１に記載のマルチユーザ１ポイント対多ポイント型デジタルデータ送信システムによるデータ送信の方法であって、下り方向のリンクが固定された数のパケット（５）をもつ一連のフレーム（４）に分割され、ここで、同じフレーム内で送信される上記パケットの種々の割合が、予約された帯域幅、最大待ち時間およびそれらの組み合わせから選択された規準に関して、同じサービス品質を共有する宛先ユーザモデムの種々のグループに関して予約されることを特徴とするマルチユーザ１ポイント対多ポイント型デジタルデータ送信システムによるデータ送信の方法。
【請求項６】
請求項５に記載のマルチユーザ１ポイント対多ポイント型デジタルデータ送信システムによるデータ送信の方法であって、宛先ユーザモデムまたは宛先ユーザモデムのグループがそれらのために予約された割合を使用しない場合、選択されたトラフィックの決定された構成の機能として、上記割合は、情報が送信されている残りのモデムまたはモデムのグループの間で分割されることを特徴とするマルチユーザ１ポイント対多ポイント型デジタルデータ送信システムによるデータ送信の方法。
【請求項７】
請求項５に記載のマルチユーザ１ポイント対多ポイント型デジタルデータ送信システムによるデータ送信の方法であって、宛先ユーザモデムのグループのために予約された、フレーム内のパケットの割合以内で、各モデムが、予約された帯域幅、最大待ち時間およびそれらの組み合わせから選択される規準に関して、上記サービス品質要求に依存する各モデム用のパケットの割合をもつことを特徴とするマルチユーザ１ポイント対多ポイント型デジタルデータ送信システムによるデータ送信の方法。
【請求項８】
請求項５に記載のマルチユーザ１ポイント対多ポイント型デジタルデータ送信システムによるデータ送信の方法であって、送信されねばならない上記パケットはユーザ待ち行列の中に優先順位順に格納され、ここでこれらの優先順位は、確立された優先順位に従って順序づけられた上記パケットの抽出を可能にする、より上部層のプロトコルにより固定されるので、上記送信機がパケットをグループ分けし、次に送られるパケットはどれか、どのユーザへ送るのかおよび上記パケットの大きさを決定することを特徴とするマルチユーザ１ポイント対多ポイント型デジタルデータ送信システムによるデータ送信の方法。
【発明の詳細な説明】
【技術分野】
【０００１】
本発明は物理媒体（６）での双方向通信の種々のユーザモデム（１）にあてはまる。本方法は、各宛先ユーザモデム（１ｂ−１ｄ）に必要な帯域幅および最大待ち時間の値を維持しつつ、１つのユーザモデム（１ａ）と多くの宛先ユーザモデム（１ｂ−１ｄ）との間の、種々の速度における情報の多重送信を可能にする。
【０００２】
本方法は、１つのモデム（１ａ）から多くの宛先ユーザモデム（１ｂ−１ｄ）へ、種々の速度で、情報の種々のフレームを送信することを備え、さらに、上記フレームのある割合を確保することにより、ユーザモデムあたりのサービス品質を達成する。またこの方法は、送信されるパケットを１まとめにしまたは分割することにより、上記フレーム中で各ユーザモデムへ送信されるパケットを動的に割り当てる規準を提供する。
【背景技術】
【０００３】
種々のモデムが同じ物理媒体を使用して互いに情報を送信する１ポイント対多ポイント型システムの使用は、従来技術で知られている。このシステムの主な問題は、もし、現実にはありそうもないが、各ユーザに関し送信ネットワークが対称でないと、ユーザモデムは、下り方向（ユーザモデム送信機からもう１つのユーザモデムの受信機へ流れるチャネル）の減衰とチャネルノイズが、各場合に関わっている送信機と受信機および各時点におけるチャネルの状況によるという事実のため、種々の送信機から等しいレベルの品質で情報を受信できない。
【０００４】
この問題は、今日入手可能な１ポイント対多ポイント型システムにおいて、異なるタイプのトラフィックを送信可能にするのに必要な、帯域幅要求および最大待ち時間の両方を維持することをとても困難にする。
【０００５】
低電圧電気ネットワークまたは移動体ネットワークの場合のように、時間における送信媒体の応答が固定ではなく変動する場合、この技術的問題は、全ての時点における待ち時間と帯域幅に関する要求を維持可能にするように通信の構成を変更する必要性のため、より重要になる。
【０００６】
本発明はこの技術的問題を解決し、上記物理媒体および上記通信の特性に依存しないで上記サービス品質の要求（帯域幅および最大待ち時間）を維持できる。
【０００７】
通信におけるサービス品質（ＱｏＳ）を含むことを可能にする他のシステムは従来技術として存在する。これに関連して、スペイン特許出願第２００００３０２４号、「デジタルデータの電気ネットワークでの１ポイント対多ポイント型システムおよびそのシステムの送信方法」、およびスペイン特許出願第２００１００９１６号、「電気ネットワークでのデータの１ポイント対多ポイント型デジタル送信のためのマルチユーザシステムにおけるデータの多重アクセスおよび多重送信のための方法」を説明すると、両方とも、電気ネットワークでの１ポイント対多ポイント型通信に関するサービス品質（ＱｏＳ）を含む解決法を与え、１つの送信機（ヘッドエンドモデム）が種々のユーザ（ユーザモデム）と通信する。本発明における方法は、この方法を改良して、１ポイント対多ポイント型通信において、サービス品質（帯域幅および待ち時間に関して）を含むことを可能にするので、どのユーザモデムも任意の他のユーザへ情報を送信できて、また、通信は、低電圧電気ネットワークなどの可変時間媒体に限定されず、１ポイント対多ポイント型送信における通信チャネルとして使用される、他の任意の送信媒体においても使用可能である。
【０００８】
それ故、本発明は、減衰、ノイズおよびチャネル応答が、各ユーザモデムに関し、周波数だけでなく時間でも動的に変化するときを含む上記要求を維持する方法を与える。
【０００９】
本発明の技術分野は遠距離通信の分野、さらに具体的に言えば、任意の通信手段を使用する種々のユーザ間の双方向通信である。
【発明の開示】
【発明が解決しようとする課題】
【００１０】
発明の名称に示したように、本発明は、マルチユーザ１ポイント対多ポイント型デジタルデータ送信システムによるデータ送信の方法から構成される。この方法は、下り方向のチャネルで送信媒体内でのアクセス制御を実行する手段、いいかえれば、１つのユーザモデムから多くの他のユーザモデムへ送信が実行される方法に適用される。
【００１１】
本発明における上記方法の主な目的は、各ユーザモデムにより確立される最大待ち時間要求にしたがってデジタルデータが送信される異なるユーザモデム間での物理媒体で利用可能な帯域幅を分散することにより、送信能力を最大にすることである。
【課題を解決するための手段】
【００１２】
前の段落で示された、目的を達成するため、および不便さを避けるために、本発明は、種々のユーザモデムが物理媒体での双方向通信であるマルチユーザ１ポイント対多ポイント型デジタルデータ送信システムの下り方向のデータの送信のための新しい方法を開発した。下り方向のチャネルは、情報を受信する一連のユーザモデムへ情報を送信するユーザモデムによりどちらが使用されるかであり、上り方向のチャネルは定義により反対方向である。
【００１３】
本発明に記載の方法は、同じ物理媒体を使用して、異なるユーザモデムへ、異なる速度での情報の送信を備えるので、異なる送信速度および異なるユーザに適応可能な下り方向のチャネルにおける時分割が実行されるので、パケットの大きさが通信手段にとって最適化され、上記パケットの大きさは送信機により通信の上部層において使用される上記パケットの大きさとは異なってもよいので、および、複数のユーザモデムまたは複数のユーザモデムの複数のグループに関して異なる優先順位をもったパケットは、これらにより要求される品質に基づくチャネル時間の予約により送信されるので、特徴付けられる。
【００１４】
これら全ての特性は、下り方向のチャネルの種々のユーザに関する決定された帯域幅および決定された最大待ち時間を保証可能にし、異なるユーザモデムに関する異なる帯域幅要求および待ち時間に基づく通信トラフィックに関するサービス品質（ＱｏＳ）を提供する。
【００１５】
種々のユーザの送信速度に適応可能な下り方向のチャネル内の時分割を実行するために、物理媒体により送信される全ての上記パケットは同じチャネル時間を占有するが異なる長さである。なぜなら、情報は異なる速度で送信され、これらの送信速度は、各ユーザモデムにより使用されるシンボルあたりのビット数に依存するからである。送信される上記パケット長は固定最大長（ビット数）以下であり得る。
【００１６】
上記パケットが同じチャネル時間を占有するように、各パケットのシンボルの数は、送信機内の、通常、いわゆる最大転送単位（ＭＴＵ）に固定される。このシンボルの数は、１秒あたりのビットの送信という意味での効率性および待ち時間に関してのサービス品質の間の妥協に達するのが適切である値に調整される。上記方法は、送信するパケットに使用されるユニット（ＭＴＵ）からの異なるタイプのトラフィックを可能にする。種々のタイプのトラフィックの中で、最小待ち時間および帯域幅要求、固定ビットレート（ＣＢＲ）のトラフィック、可変ビットレート（ＶＢＲ）のトラフィック、および予約された帯域幅および固定最大待ち時間のトラフィックが可能である。
【００１７】
送信されるシンボルの数がパケットあたり固定された数であるため、種々のユーザに送信されなければならない上記パケットは、送信機内でグループ分けされおよび／または分割される。この方法で、パケットの大きさは、送信に使用されるユニット、上記最大転送単位（ＭＴＵ）内のシンボルの数に固定されている。
【００１８】
シンボルの持続時間が固定されて常に同じであるので、送信される各パケットのシンボルの数も固定されている。
【００１９】
下り方向のチャネルは、固定された数のパケットを備える一連のフレームに分割される。これらのフレーム中には、受信ユーザグループへ送信される異なる割合のパケットが予約される。各ユーザグループは、トラフィックに関する同じサービス品質要求を共有するユーザを含み、この品質は予約された帯域幅および／または最大待ち時間のことである。
【００２０】
もしユーザまたは受信ユーザのグループ用に予約された割合が使用されないと、この割合は、情報を伝達する残りのモデムまたはユーザモデムのグループの間で分配できる。これは、送信されるトラフィックの決定された構成により実行される。
【００２１】
各ユーザグループによりフレーム内のパケット用に予約された割合内で、上記グループ内の各ユーザは、サービス品質が、予約された帯域幅および／または最大待ち時間要求をもつかどうかに依存する各ユーザ自身のサービス品質により、ある割合をもつ。
【００２２】
本発明の方法は、異なるユーザへ送信されるパケットを送信機内の一連の待ち行列へ格納することを含む。これらの送信待ち行列はユーザごとの待ち行列であって、上記パケットは優先順位にしたがって順位付けされていて、上記優先順位は上部層プロトコルにより固定されている。上記パケットを上記待ち行列内に格納することは、優先順位により順序付けられたパケットの抽出を可能にする。それ故、送信機はパケットをグループ分けし、どれが次の送信されるパケットかを決定するだけでなく、誰に送信するのか、および上記パケットのサイズを決定する。
【００２３】
以下の図は本発明のより良い理解を容易にするために提供され、発明を実施するための最良の形態および特許請求の範囲の統合部分を形成するが、これらの図は、図示されているが、図に限定されない、本発明の原理の説明を提供する。
【発明を実施するための最良の形態】
【００２４】
以下に、添付の図面を参照して発明の実施の形態を説明する。
【００２５】
本例は、１ポイント対多ポイント型双方向データ送信のためのデジタル送信システムに関してであり、それ故このシステムには多くのユーザモデム１がある。
【００２６】
図１の例は建物２内の一連のユーザモデム１および建物３内のユーザグループ１を示す。
【００２７】
本発明が下り方向のチャネルに適用可能であるので、図２は、３つのユーザモデム１ａ−１ｄへ、異なる速度ｖi、ｖi+1、およびｖi+2でデータを送信するユーザモデム１ａを示す。
【００２８】
速度ｖiは、送信機１ａからユーザモデム１ｂ−１ｄへ送信可能な、１秒あたりのビット数である。
【００２９】
上記送信機は、下記のように、調停ユニットにより、物理媒体６での通信帯域幅を割り当てる責任を持つ。
【００３０】
異なる送信速度をもつ１ポイント対多ポイント型システムにおいて、異なるユーザの異なる有効な待ち時間を保証するサービス品質を定義する必要が考慮される。
【００３１】
各ユーザモデムの送信速度はとても異なる可能性がある。例えば、ＯＦＤＭ（直交周波数分割多重化）通信システムでは、速度は搬送波あたりのビット数に依存し、この最後の値は、この搬送波内の、ある複数のチャネルパラメータの品質に依存する。
【００３２】
例えばこの通信システムでは、もしユーザモデム１ｂがもう１つのモデム１ｄより送信機にかなり近いと、各ＯＦＤＭシンボルにおいて、モデム１ｄよりもモデム１ｂに対してより楽観的な搬送波あたりのビットの構成を与えることにより、減衰がより少ないという事実のため、品質の低下なしに、最も遠いユーザよりも最も近いユーザへより多くのビットが送信可能である。
【００３３】
伝統的なシステムでは、発信元と全ての送信先を結ぶ速度は同じであり、送信される全てのパケットの最大バイト数（ＭＴＵ）は固定されている。それ故、各パケットは同じチャネル時間を占有し、全ての遠隔ユーザの受信待ち時間がある値を超えないことを保証できる。これに反して、各送信先が異なる速度をもつシステムでは、もし全ての送信先に同じＭＴＵがあると、パケットが使用するチャネル時間は上記速度に依存するので、待ち時間は保証できない。
【００３４】
本発明の方法は、各チャネルの速度と独立に、チャネル時間を全ての宛先モデムにとって等しく設定する。それ故、各宛先モデム１ｂ−１ｄへの送信は、各モデムで異なる最大バイト数（ＭＴＵ）をもつ。
【００３５】
図２の例を考える。ここで、２つのユーザモデム１ｂおよび１ｃが選択され、モデム１ｂはモデム１ｃよりもモデム１ａから離れている。モデム１ａからモデム１ｂまでおよびモデム１ａからモデム１ｃまでに各々関連した速度ｖiおよびｖi+1があると考える（ここで、ｖiはｖi+1よりも高い）。ＯＦＤＭ通信システムでは、速度ｖ1およびｖi+1は搬送波あたりのビット数に変換されることを考慮に入れると、各ＯＦＤＭシンボルでは、モデム１ｂに関してはＮ1ビットを、モデム１ｃに関してはＮ2ビットを導入および送信できる。これは各シンボルが継続する時間が知られていて、各宛先モデムに関して同じだからである。
【００３６】
この例では、各パケットは最大でＮ個のＯＦＤＭシンボルを占有する。それ故、各パケットのチャネル時間は制御され、モデム１ｂのＭＴＵはＮ１＊Ｎで、モデム１ｃのＭＴＵはＮ２＊Ｎであると計算できて、ＯＦＤＭシンボルが情報を送信する全てのユーザモデムの待ち時間を保証する。
【００３７】
各宛先モデムが異なる速度をもつマルチポイント構成で見出されるもう１つの問題は、異なる宛先ユーザモデム１ｂ−１ｄ内の受信帯域幅を保証する必要である。これを達成するために、チャネルは時分割される。例えば、ＯＦＤＭ通信システム内では、シンボルの数がフレーム４にグループ分けされる。各ユーザモデム１ｂ−１ｄのために予約することが望まれる帯域幅を考慮に入れて、各フレームの定義が実行される。
【００３８】
例えば、以前図２で提示された構成をとって、帯域幅の８０％をモデム１ｂのために予約して、残りの２０％をモデム１ｃのために予約することは可能である。このシナリオは図３に示される。送信機は調停ユニットを使用して、現在のパケットが送信されるべき宛先モデムを決定する。
【００３９】
上記チャネルがフレーム４に分割されること、および、各パケットが同じチャネル時間を占有することを考慮に入れて、上記チャネルはパケット５に分割可能である。こうして、上記チャネルは上記調停ユニットを機能させることを助ける。
【００４０】
調停ユニットは、各瞬間において、どのパケットが送信されねばならないかを決定しなければならない。上記の例では、モデム１ｂは８０％予約され、モデム１ｃは２０％予約され、この予約は、送信機がフレーム４の８０％であるＰ１パケットをユーザモデム１ｂに送信しなければならず、フレーム４の２０％のパケットであるＰ２をユーザモデム１ｃに送信しなければならないことを意味する。
【００４１】
この状況で、上記調停ユニットは、フレーム中のＰパケットについて、割合Ｐ１はモデム１ｂのユーザのパケットの割合でなければならず、割合Ｐ２はモデム１ｃのユーザのパケットの割合でなければないことを考慮して、各瞬間においてどのパケットを送信するかを決定する。
【００４２】
各ユーザモデムへ送信されるパケットは、送信器１ａに格納されている。これらの格納されたパケットの管理において、以下のことを考慮しなければならない。すなわち、各受信ユーザに関して、多くの格納されたパケットがあり、各ユーザに関するこれらのパケットの送信順序はパケットの優先順位により実行され、もし同じ優先順位の２つのパケットがある場合、これらのパケットは到着順位により送信される（最も古いパケットから最も新しいパケットの順で）。
【００４３】
例えば、この格納することの可能な具体化は、各ユーザ、アドレスおよび優先順位のＦＩＦＯ（ファーストイン、ファーストアウト）メモリにより達成する。調停ユニットは、どのユーザへ送信するかを決定するとき、優先順位を考慮して、送信するパケットを選択する。
【００４４】
予約された帯域幅および最大待ち時間の概念を結合して、異なるサービス品質を提供する。このため、１つのパケットが送信されるときはいつも、そのパケットを受信するユーザは特定され、さらにこのパケットがもつことができる最大長（ＭＴＵ）が計算される。ＭＴＵおよび受信ユーザを考慮すると、パケットの優先順位に従ってパケットは待ち行列から抽出され、次にパケットは集められる。最大長のパケットを作るために、パケットは結合されるだけではなく、この宛先ユーザモデムのために計算された最大長（ＭＴＵ）に調整するために、パケットは分割される。
【００４５】
ユーザは、要求されるサービス品質に応じてグループ分けされる。サービス品質の要求のないユーザのグループも存在し、すなわち、そのユーザは帯域幅および最大待ち時間を要求しない。サービス品質要求のないユーザのためのパケットは、調停ユニットがサービス品質を要求するユーザへ送信するパケットがないときに、フレームに入る。
【００４６】
例えば、３つのユーザモデム１ｂ−１ｄがある状況で、ユーザモデム１ｂが８０％予約していて、ユーザモデム１ｃが２０％予約していると、ユーザモデム１ｄは０％予約している。調停ユニットはモデム１ｂおよびモデム１ｃへ常にパケットを送信し、これらのユーザモデムのためのパケットをもたない場合、データをモデム１ｄへ送信する。ユーザモデム１ｄはチャネル速度ｖi+2をもち、それ故、ユーザプロファイル（この例ではユーザモデム１ｂおよびユーザモデム１ｃ）の待ち時間に影響しないＭＴＵをもつ。
【００４７】
特に、ユーザは２つの主なグループ、すなわち、予約された帯域幅の割合をもつグループ（タイプＡ）および予約された割合をもたないグループに分割される。調停ユニットはタイプＡに優先順位を与える。全てのタイプＢのための予約された帯域幅の割合を考える可能性が存在し、それによって上記全てのタイプＢユーザがとても狭い帯域幅ではあるがパケットを受信することを保証する。第３の選択肢は、上記全てのタイプＢユーザを、全体として１つの追加のタイプＡユーザと考えることから構成される。
【００４８】
他方では、ライン上のデータパケットは、あるチャネル時間を占有するヘッダを含む。提案する方法は、データの送信のためにチャネル内で使用される時間に関して、ヘッダに適用される時間を最適化し、ヘッダに必要な時間およびデータ送信に使用される時間の間の効率的な妥協に達する。
【図面の簡単な説明】
【００４９】
【図１】モデムが異なる建物に分散した種々のユーザモデムと通信する典型的なマルチユーザ１ポイント対多ポイント型通信のシナリオを示す図
【図２】１つのユーザモデムと各ユーザに関して送信フレームおよび異なる速度を示す３つの他のモデム３つの他のモデムとの間の通信の例を示す図
【図３】異なる品質要求をもつ２つの受信ユーザに関するフレーム中のパケットの割合の予約の可能な例を示す図
【符号の説明】
【００５０】
１  ユーザモデム
１ａ  ユーザモデム
１ｂ  宛先ユーザモデム
１ｃ  宛先ユーザモデム
１ｄ  宛先ユーザモデム
２  建物
３  建物
４  フレーム
５  パケット
６  物理媒体
【図１】
2005522899.tif 000003
【図２】
2005522899.tif 000004
【図３】
2005522899.tif 000005
【国際調査報告】
2005522899.tif 000006
2005522899.tif 000007
2005522899.tif 000008
2005522899.tif 000009